(57)【要約】【課題】畑地などの除草と該畑地などにおける土壌の攪拌とが同時に行える除草用鍬を提供する。【解決手段】平面視が円形状であり、且つ全体が円筒形状を呈し、底辺に沿って先尖形状である複数の刃３を連設した鍬本体２ａと、該鍬本体２ａの外側面から径方向に沿って延びた柄６ａ，６ｂとを備えており、上記鍬本体２ａの内側には、平面視が上記円形状と相似形である中空部４ａが位置している、除草用鍬１ａ。【選択図】  図１
0003220146.tif 000002
【実用新案登録請求の範囲】
【請求項１】
平面視が円形状または四角形以上の多角形状で、且つ全体が円筒形状または多角筒形状を呈し、底辺に沿って先尖形状である複数の刃(３)を連設した鍬本体(２ａ〜２ｅ)と、
上記鍬本体(２ａ〜２ｅ)の外側面から径方向に沿って延びた柄(６ａ，６ｂ)とを備え、
上記鍬本体(２ａ〜２ｅ)の内側には、平面視が上記円形状または多角形状と相似形の中空部(４ａ〜４ｅ)が位置している、
ことを特徴とする除草用鍬(１ａ〜１ｅ)。
【請求項２】
前記柄(６ａ，６ｂ)は、軸方向の長さが相違する複数の種類が選択可能である、
ことを特徴とする請求項１に記載の除草用鍬(１ａ〜１ｅ)。
【請求項３】
前記柄(６ａ，６ｂ)は、前記鍬本体(２ａ〜２ｅ)に対してボルト・ナット(７，９)により固定されており、且つ取り外し可能とされている、
ことを特徴とする請求項１または２に記載の除草用鍬(１ａ〜１ｅ)。
【考案の詳細な説明】
【技術分野】
【０００１】
本考案は、家庭菜園を含む畑地などの雑草を除草すると同時に、該畑地などの土壌の攪拌も可能となる除草用鍬に関する。
【背景技術】
【０００２】
例えば、畑地などの作物の茎や葉や根などを傷めずに雑草を除草するため、外縁刃先と内縁刃先とを前後の両縁に沿って設けた平鋼刃と、該平鋼刃の両端を左右対称である一対の斜め上向き凹状部を介して、柄の先端にネジ止めしてなる除草具が提案されている（例えば、特許文献１参照）。
上記除草具によれば、畑作物の茎や葉や根などを傷めずに雑草を除草できるが、前記作物が植わっている土壌の改良には、全く関与しいないので、前記除草の後において、鍬や鋤による土壌の攪拌作業が別途に必要となる、という問題があった。
【０００３】
一方、畑地の溝切り用として、掘り取る土量を大きくし、且つ刃先が畑地に斜めに進入し易くするため、平板形状の刃床部と、その上部の背面に接続された柄と、前記刃床部の先端側に中央部から順次両端部に向かって斜めに畑地に進入するように、内側円弧形状に湾曲する刃先を設けた農耕用湾曲鍬も提案されている（例えば、特許文献２参照）。
上記農耕用湾曲鍬によれば、畑地の土壌を効果的に攪拌することはできるが、その前に、予め、該畑地の除草作業を別途に行っておくことが必要となる、という問題があった。
【先行技術文献】
【特許文献】
【０００４】
【特許文献１】実開平７−２４００１号公報（第１〜３頁、図１〜１２）
【特許文献２】登録実用新案第３０７０９４９号公報（第１〜６頁、図１〜７）
【考案の概要】
【考案が解決しようとする課題】
【０００５】
本考案は、背景技術で説明した問題点を解決し、畑地などにおける除草と該畑地などにおける土壌の攪拌とが同時に行える除草用鍬を提供する、ことを課題とする。
【課題を解決するための手段】
【０００６】
本考案は、前記課題を解決するため、円筒形状または多角柱形状を呈する鍬本体の下辺に沿って、先尖り形状である複数の刃を連設して準熊手状の形態とし、且つ該鍬本体の内側に前記形状と相似形の中空部を配置する、ことに着想して成されたものである。
即ち、本考案の除草用鍬（請求項１）は、平面視が円形状または四角形以上の多角形状で、且つ全体が円筒形状または多角筒形状を呈し、底辺に沿って先尖形状である複数の刃を連設した鍬本体と、該鍬本体の外側面から径方向に沿って延びた柄とを備え、上記鍬本体の内側には、平面視が上記円形状または多角形状と相似形の中空部が位置している、ことを特徴とする。
【０００７】
また、本考案には、前記柄は、軸方向の長さが相違する複数の種類が選択可能である、除草用鍬（請求項２）も含まれる。
更に、本考案には、前記柄は、前記鍬本体に対してボルト・ナットにより固定されており、且つ取り外し可能とされている、除草用鍬（請求項３）も含まれる。
【考案の効果】
【０００８】
請求項１の前記除草用鍬によれば、以下の効果（１）が得られる。
（１）全体が円筒形状または多角筒形状を呈する前記鍬本体の底辺に沿って連設された複数の前記刃が畑地の地中に進入することによって、例えば、レンゲのような一年草で且つ網目状に地中で延びた根や、該畑地の表土に生えた雑草を取り除くことができる。同時に、上記鍬本体の中空部内に入った上記畑地の土壌を攪拌しつつ後方に排出できるため、土壌の攪拌と土質の均一化を図ることもできる。
【０００９】
また、請求項２の前記除草用鍬によれば、以下の効果（２）が得られる。
（２）前記柄が、軸方向の長さに応じて選択可能であるため、低い姿勢で利き腕の片手のみで掴む短い柄と、立った姿勢のままで、且つ両手あるいは片手で掴む長い柄とを自在に選択することができる。従って、使用者の体調や畑地などにおける雑草の生育具合などに応じて、最適の長さの柄を有する前記除草用鍬を利用することができる。
【００１０】
更に、請求項３の前記除草用鍬によれば、以下の効果（３）が得られる。
（３）前記柄が、前記鍬本体に対してボルト・ナットにより固定されており、且つ取り外し可能とされているので、前記長さの異なる柄を自在に選択できると共に、前記鍬本体に複数の上記ボルトを通す貫通孔を形成することによって、該鍬本体における前後の位置にある摩滅した刃の部分をずらして、例えば、比較的摩滅が少ない部分を前後方向の位置に配置し直すことも容易となる。
【００１１】
尚、前記円形状には、真円のほか、楕円形や長円形も含まれる。
また、前記多角形状には、正方形以上の正多角形やこれらの変形多角形が含まれ、且つ前記多角形の角部ごとにアールが付された形態も含まれる。
更に、前記鍬本体の材料には、例えば、工具鋼（炭素工具鋼、合金工具鋼、高速度工具鋼、ステンレス鋼）などの硬質の鋼種が適用されるほか、硬質のエンジニアリング樹脂（例えば、ポリカーボネート；ＰＣ）などを適用しても良い。
また、前記鍬本体の刃には、側面視でＶ字形状、Ｕ字形状、あるいはレ字形状を呈する形態が含まれる。
更に、前記「複数の刃を連設する」とは、前記鍬本体の底辺における全長に沿って複数の刃を連続して形成した形態のほか、複数の連続した刃からなる複数組を前記底面において離間して形成して形態も含むものである。
加えて、前記柄は、木材または合成樹脂の棒材または管材からなり、前記鍬本体の外側面に対し、取り外し不能に接続されていても良い。
【図面の簡単な説明】
【００１２】
【図１】（Ａ），（Ｂ）は異なる長さの柄を取り付けた本考案による一形態の除草用鍬を示す斜視図、（ａ）は前記柄の先端部とテーパ座金とナットとを示す概略図，（Ｃ）は上記除草用鍬の使用状態および作用を示す概略図。
【図２】（Ａ），（Ｂ）は異なる形態の除草用鍬を示す部分斜視図。
【図３】（Ａ），（Ｂ）は更に異なる形態の除草用鍬を示す平面図。
【考案を実施するための形態】
【００１３】
以下において、本考案を実施するための形態について説明する。
図１（Ａ），（Ｂ）は、異なる長さの柄６ａ，６ｂを取り付けた一形態の除草用鍬１ａを示す斜視図、図１（ａ）は、前記柄６ａ（６ｂ）のボルト７を突設した先端部と、テーパ座金８と、ナット９とを示す概略図である。
上記除草用鍬１ａは、図１（Ａ）に示すように、平面視が円形で且つ全体が円筒形であり、底辺に沿って複数の刃３が連設された鍬本体２ａと、該鍬本体２ａの外側面から前記鍬本体２ａの径方向で且つ若干斜め上方に沿って延びた細長い柄６ａと、を備え、前記鍬本体２ａの内側には、平面視が上記円形と相似形である円柱形状の中空部４ａが位置している。
【００１４】
前記鍬本体２ａは、例えば、工具鋼からなるシームレスパイプを所定長さの円筒形に切断した後、該円筒形のパイプの外周側からレーザー光をジグザグ状に照射するレーザー加工によって、一対の対称な該鍬本体２ａとしたものの一方である。また、該鍬本体２ａにおける複数の刃３は、側面視がＶ字（先尖）形状を呈し、それらの各傾斜面を研磨加工しものとしても良い。更に、該鍬本体２ａの上辺側には、４つ（複数）の貫通孔ｈが平面視でほぼ等間隔で穿孔され、該貫通孔ｈを介して、当該鍬本体２ａの外側面に前記柄２ａがネジ止めされている。
【００１５】
加えて、前記柄６ａは、硬質で無垢の木棒であり、その周面には軸方向に沿って複数の細溝からなる滑り止めが形成されている。
図１（ａ）に示すように、上記柄６ａの先端面には、ボルト７が軸ほぼ方向に沿い且つ若干上方向きに傾斜して突設され、前記ボルト７は、前記鍬本体２ａにおける何れか１つの貫通孔ｈを貫通し、該鍬本体２ａの中空部４ａ側において、テーパー座金８を通過した後、ナット９がネジ結合される。前記テーパー座金８は、柄２ａを上方に若干傾斜させるために用いられ、バネ座金に替えても良い。
尚、上記ボルト７を前記柄６ａの軸方向に対し若干傾斜して突設することで、上記座金８を通常の平座金としても良い。
【００１６】
因みに、前記鍬本体２ａの厚みは、例えば、約１〜２ｍｍであり、その外径は約１０〜１５ｃｍである。また、前記柄６ａの長さは、約１５〜３０ｃｍである。
更に、前記柄６ａに替えて、図１（Ｂ）に示すように、全長が約１〜１．５ｍと比較的長い柄６ｂを前記ボルト７、座金（前記平座金を含む）８、およびナット９を用いて、鍬本体２ａの外側面に、前記同様に固定しても良い。
尚、上記長い柄６ｂには、両手で掴むため、軸方向における２箇所の位置に滑り止めの細溝が複数ずつが刻設されている。
【００１７】
図１（Ｄ）は、前記除草用鍬１ａの使用状態および作用を示す概略図である。
使用者は、前記柄６ａ，６ｂの何れかを片手または両手で掴み、図１（Ｄ）中の一点鎖線で示す畑地Ｇの地中に前記複数の刃３を挿入した状態で、該畑地Ｇのほぼ表面に沿って手前側に引っ張る動作を繰り返す。この際、畑地Ｇの地面上に生えていた雑草は、複数の刃３により削り取られて除草されると共に、鍬本体２ａの中空部４内に進入した土壌は、該中空部４内で上方に一旦盛り上がった後、降下する動きを繰り返す。
更に、前記複数の刃３は、図１（Ｄ）に示すように、畑地Ｇの土中で編み目状に生え亘った一年草（例えば、レンゲ）の根Ｎを随所で切断するため、上記土壌の昇降動作に伴う攪拌を、比較的少ない力で効果的に行うことができる。その結果、上記畑地Ｇにおける地面側と土中との土質（含水量や通気性など）を均一化することも併せて可能となる。
【００１８】
従って、前記除草用鍬１ａによれば、前記効果（１）が確実に得られる。また、使用者の身長や体力に応じて、前記長短の柄６ａ，６ｂを選択あるいは交換することによって前記効果（２）が得られる。更に、前記鍬本体２ａをその使用状態（複数の刃３の摩耗や、土質に応じた刃３の総数）に応じて、該鍬本体２ａにおける別の貫通孔ｈに前記柄６ａ，６ｂのボルト７を通したり、あるいは、別の新たな鍬本体２ａに簡単に取り替えられるので、前記効果（３）も容易に得られる。
尚、前記ナット９は、蝶ナット、あるいは、リング（円環部）付きナットにすることで、スパナなどの工具を使わずに、使用者の素手にのみよって、直にネジ込み操作とネジ外し操作とを行うことが可能となる
【００１９】
図２（Ａ）は、異なる形態の除草用鍬１ｂにおける鍬本体２ｂ付近を示す部分斜視図である。
上記除草用鍬１ｂの鍬本体２ｂは、図２（Ａ）に示すように、平面視が正方形状で且つ四隅に小径のアールが付けられた四角柱形状を呈し、その四辺の底辺ごとに沿って複数の刃３が連設されている。該鍬本体２ｂの内側には、平面視が正方形状の中空部４ｂが位置している。また、該鍬本体２ｂにおける四辺の側壁の中間付近ごとには、貫通孔ｈが個別に穿孔され、該貫通孔ｈの何れか１つを利用して、前記長短の柄６ａ，６ｂの何れか一方が選択可能にネジ止めされている。
【００２０】
前記のような鍬本体２ｂを含む除草用鍬１ｂによっても、前記効果（１）〜（３）を得られることが容易に理解される。
尚、前記鍬本体２ｂは、角形鋼管を所定長さで軸方向と直角に切断し、得られた四角筒体における側面の外周側からレーザー光をジグザグ状に照射するレーザー加工によって、一対の対称な該鍬本体２ｂとしたものの一方を用いても良い。
また、前記鍬本体２ｂにおける４つの底辺のうち、前記柄６ａ，６ｂの軸方向と平行になる対向する左右一対の側壁の底辺には、側面視がレ形状を呈する複数の刃を、それらの傾斜辺が上記柄６ａ，６ｂ側に向かって傾斜して連設した形態としても良い。
【００２１】
図２（Ｂ）は、更に異なる形態の除草用鍬１ｃにおける鍬本体２ｃ付近を示す部分斜視図である。
上記除草用鍬１ｃの鍬本体２ｃは、図２（Ｃ）に示すように、平面視が正八角形状で且つ全体が八角柱形状を呈し、その底辺に沿って複数の刃３を連設したものである。該複数の刃３は、１つの側壁面における底辺の中央付近から垂下した平坦な板状の形態と、隣接し合う一対の側壁面の底辺同士間に跨がって垂下し且つ断面が鈍角に曲がった形態とが、１つ置きに交互に配置されている。該鍬本体２ｃの内側には、平面視が正八角形状（相似形）の中空部４ｃが位置している。
また、上記鍬本体２ｃにおける八つの側壁のうち、１つ置きの側壁における中間ごとに前記貫通孔ｈが穿孔され、該貫通孔ｈの何れか１つを利用して、前記長短の柄６ａ，６ｂの何れか一方が選択可能にネジ止めされている。
【００２２】
前記のような鍬本体２ｃを含む除草用鍬１ｃによっても、前記効果（１）〜（３）を得られることが容易に理解される。
尚、前記複数の刃３は、前記鍬本体２ｃにおける八つの側壁面の底辺ごとに複数の平坦な刃３を連設した形態としても良い。
【００２３】
図３（Ａ）は、前記とは更に異なる形態の除草用鍬１ｄを示す平面図である。
上記除草用鍬１ｄは、図３（Ａ）に示すように、平面視が楕円形（円形状）で且つ全体が楕円筒形状を呈し、底辺に沿って複数の前記刃３を連設した鍬本体２ｄと、前記同様のネジ止めにより前記鍬本体２ｄの短軸（径）方向に沿って該鍬本体２ｄの外側に延び出た前記柄６ａ（６ｂ）とからなり、上記鍬本体２ｄの内側には、平面視が楕円形（相似形）の中空部４ｄが位置している。
尚、上記柄６ａ（６ｂ）をその軸方向に沿って引っ張る作業を繰り返すことによって、上記鍬本体２ｄの短軸方向に沿った寸法が拡大する事態を防ぐため、図示のように、上記柄６ａ（６ｂ）のボルト７が貫通する貫通孔ｈの反対側に位置する別の貫通孔ｈと、前記６ａ（６ｂ）の基端側との間に、ワイヤーＷを掛け渡しておくことが推奨される。
【００２４】
図３（Ｂ）は、前記とは更に別異な形態の除草用鍬１ｅを示す平面図である。
上記除草用鍬１ｅは、図３（Ａ）に示すように、平面視が長円形（円形状）で且つ全体が長円筒形状を呈し、底辺に沿って複数の前記刃３を連設した鍬本体２ｅと、前記同様のネジ止めにより前記鍬本体２ｅの短軸方向に沿って該鍬本体２ｅの外側に延び出た前記柄６ａ（６ｂ）とからなり、上記鍬本体２ｄの内側には、平面視が長円形（相似形）の中空部４ｅが位置している。
尚、上記除草用鍬１ｅでも、上記鍬本体２ｅの短軸方向に沿った寸法の拡大を防ぐため、図示のように、上記柄６ａ（６ｂ）と反対側の貫通孔ｈと、該６ａ（６ｂ）の基端側との間に、ワイヤーＷを掛け渡しておくことが推奨される。
以上のような除草用鍬１ｄ，１ｅによっても、前記効果（１）〜（３）を得られることが容易に理解される。
【００２５】
本考案は、以上において説明した各形態に限定されるものではない。
例えば、前記鍬本体は、平面視が正五角形ないし正七五角形、あるいは、正九角形以上の正多角形を呈し、その内側に相似形の中空部を有すると共に、それらの底辺に沿って複数の刃を連設した形態としても良い。
また、前記鍬本体の底辺に沿って連設する複数の刃は、側面視で刃基側がＶ字形状を呈し且つ刃先側がＵ字形状を呈する形態としても良い。
更に、前記刃先の長さや刃先の開き角度が異なる複数種類の刃を、前記底辺に沿って１つずつ交互に連設したり、２つずつ交互に連設した形態しても良い。
【００２６】
また、前記柄は、断面が正六角形以上の多角柱体で且つ先端側に延びるほど太くなる形態としても良い。
更に、前記柄には、前記各形状を呈する硬質樹脂（ＰＣ、ＰＥＴ）の中空成形体を適用しても良い。
また、前記柄は、その軸方向に沿った細長い収納用の中空部を内設し、前記鍬本体側の基端部に豆電球またはＬＥＤライトを取り付け可能として、夜明け前や日没前後などにも、前述した除草や土壌の攪拌作業が行えるようにしても良い。
加えて、本考案の除草用鍬は、種々の野菜や果物を育成する家庭菜園や路地栽培などにおける耕地においても適用することが可能である。
【産業上の利用可能性】
【００２７】
本考案によれば、畑地などの除草と該畑地の土壌攪拌とが同時に行える除草用鍬を確実に提供できる。
【符号の説明】
【００２８】
１ａ〜１ｅ…除草用鍬
２ａ〜２ｅ…鍬本体
３……………刃
４ａ〜４ｅ…中空部
６ａ，６ｂ…柄
７……………ボルト
９……………ナット
【図１】
0003220146.tif 000003
【図２】
0003220146.tif 000004
【図３】
0003220146.tif 000005